(57)【要約】      （修正有）【課題】製造に手間がかからない留め具の提供。【解決手段】留め具では、弁当箱のような箱状物Ｈを風呂敷Ｓの中央に置いて、風呂敷の二箇所の端部ｂとｄを箱に巻付け、端部ａとｃを持上げ、留め具本体１の穴１０２に通し固定する。前記留め具への固定は、留め具本体の穴に風呂敷の端部ａ、ｃを一括で裏面から表に向けて通し締める第一工程と表に出た当該端部を前記楕円形の貫通穴の両側にスリットバーを介して設けられた二つの三日月形の貫通穴に、それぞれ端部ａは穴１０４へ、端部ｃは穴１０３へスリットバーを巻き込む形で折返して表から裏に向けて通す第二工程から成り、風呂敷が箱を包み留め具本体に装着されるので、当該風呂敷が留め具付手提げ包装体の姿態で固定。前記プレートは革や樹脂などの素材で作られ、第一工程で通したシート端部ａ、ｃに荷重がかかった時、留め具プレート端方向に、スリットバーが撓み第二工程で通した端部ａ、ｃを押し付けること抜けなく固定。【選択図】図２
0003221686.tif 000002
【実用新案登録請求の範囲】
【請求項１】
シート体の少なくとも二箇所を係止して当該シート体を留め具付手提げ包装体の姿態に保持する留め具において、
薄厚のプレート形状である本体と、
当該本体の中央に設けられたスリット状のバーを介して隣接する複数の穴の組から構成されるシート体を係止する係止部と、
を備えたことを特徴とする留め具。
【請求項２】
前記係止部を構成する穴の組は、長手方向に近接して設けた少なくとも３つの穴からなることを特徴とする請求項１に記載の留め具。
【請求項３】
前記係止部を構成する穴の組は、長手方向に近接して設けた少なくとも２つの穴の組で、且つ２か所からなることを特徴とする請求項１に記載の留め具。
【考案の詳細な説明】
【技術分野】
【０００１】  本考案は、風呂敷等のシートで荷物を包み留め具付手提げ包装体の姿態で支持する留め具に関するものである。
【背景技術】
【０００２】  従来から、特許文献１に記載されている取っ手が知られている。この取っ手は、革製のバンドの両端のぞれぞれに金属製のリングを２つ設け、この２つのリングに対し、風呂敷の端部を通し、当該端部を一つのリングの外側で折返し、他のリングの内側を通し、風呂敷の端部を固定する。この作業をバンドの両端で行うことで、風呂敷の対角線と並行に箱などの荷物を置き、ふろしきを巻き付け、もう一方の対角の両端を留めることにより留め具付手提げ包装体の姿態を形成する。風呂敷を取り付けていない状態では、取っ手は略平面的な姿態となり、この状態で風呂敷と共に鞄等に収納する。
【先行技術文献】
【特許文献】
【０００３】
【特許文献１】特開２００８−１１０１９６号公報
【考案の概要】
【考案が解決しようとする課題】
【０００４】  しかしながら、従来の取っ手では、金属製のリングを革製のバンドの両端に取り付けているため、バンドの長さを短くしても、バンドとリングのトータル長さが十分に短くならず、風呂敷の２か所の固定部の距離が十分に縮められないことから、小さな荷物の場合、安定して締めることが難しいという問題点があった。また、２つのリングを両端に設けているため、重く、嵩張るという問題点があった。さらに、従来の取っ手では、バンド部とリング部で構成された単純な形状なので、外観を変えられず、デザイン性の高い取っ手とすることが難しいという問題点があった。本考案は、係る問題点を解決するためになされたものである。
【課題を解決するための手段】
【０００５】  上記の問題点を解決するために、本考案の留め具は、シート体の少なくとも２箇所を係止して当該シート体で包んだ荷物を留め具付手提げ包装体状に保持する留め具において、薄厚のプレート形状である本体と、当該本体の中央に設けられた複数の穴のから構成されるシート体を係止する係止部とを備えたことを特徴とする。【０００６】  前記係止部を構成する穴は、長手方向に近接して設けた少なくとも３つの穴から構成するのが好ましい。【０００７】  前記係止部を構成する穴は、長手方向に近接して設けた少なくとも２つの穴を、適当な間隔で２か所構成するのが好ましい。
【図面の簡単な説明】
【０００８】
【図１】本考案の実施の形態１に係る留め具を示す説明図である。
【図２】本考案の実施の形態１の使用方法を示す説明図である。
【図３】本考案の実施の形態１の留め具の実施例を示す説明図である。
【図４】本考案の実施の形態２に係る留め具を示す説明図である。
【図５】本考案の実施の形態２の留め具の使用方法を示す説明図である。
【図６】本考案の実施の形態２の留め具の実施例を示す説明図である。
【考案を実施するための形態】
【０００９】（実施の形態１）
図１は、本考案の実施の形態１に係る留め具を示す説明図であり、（ａ）は平面図、（ｂ）は正面図、（ｃ）は側面図、（ｄ）はＡ−Ａ断面図である。この留め具１００は、風呂敷等のシート体を留め具付手提げ包装体状の姿態に保持するものであって、革製または樹脂製の薄厚プレート形状の本体１の中央に、３つの穴１０２，１０３、１０４を長手方向に設けた構成である。本体１の大きさは、中央部に風呂敷の端部を通すのに十分な面積を持つ３つの貫通穴を設け、留め具としての強度を持たせるのに必要な大きさで、且つプレート本体の外形の形状に意匠を施すことにより、留め具付手提げ包装体の装飾（チャーム）の機能を持たせるのに必要な大きさに設定する。サイズは概略縦１０ｃｍ〜１００ｃｍ、横１０ｃｍ〜１００ｃｍの範囲で設定する。
【００１０】  本体１の厚さは、留め具１００の用途や本体１の材質により設定する。弁当箱を包むふろしきの留め具として使う場合は薄く、重いものを包むふろしきの留め具として使う場合は厚く、また、比較的柔らかい素材を用いる場合は厚く、比較的硬い素材を用いる場合は薄くして、留め具として適当な強度と手触り感などの柔軟性を確保する。
【００１１】  本体１の中央部に設けた３つの穴１０２、１０３、１０４は、中央にシートの２か所の端部を一括で通すのに適当な面積を持つ略楕円形の穴１０２と、その両サイド長手方向にシートを係止するために適当な巾を持つスリットバーを介して、それぞれ中央の楕円形の穴に対して、略二分の一以下の面積を持つ略三日月形の穴１０３、１０４で構成する。穴１０２、１０３、１０４の形状は、楕円形と三日月形としたがこれに限定されない。例えば、三角形、四角形、その他の多角形であっても良い。更に、ハート形等のデザイン性の高い穴としても良い。穴１０２と穴１０３、穴１０２と穴１０４との間のスリットバーの間隔は、シート体にかかる荷重を受ける強度を確保でき、シート体の端部を通す操作を行いやすく且つシート体端部を固定しやすい所定の間隔とする。
【００１２】  本体１の外形は、動物や、花、乗り物、キャラクター、マークなどデザイン性の高い形状とし、風呂敷等シートで包んだ留め具付手提げ包装体の装飾（チャーム）の機能を持たせる。
【００１３】  次に、この留め具１００の使用方法を説明する。図２は、この留め具の使用方法を示す説明図である。なお、図２（ｃ）では、取り付け方の手順を説明するため、ひも状のものを示す。シート体には風呂敷Ｓを用いる。図２（ａ）に示すように、弁当箱のような箱状物Ｈを風呂敷Ｓの中央に置いて、この状態で風呂敷Ｓの二箇所の端部ｂとｄを箱に巻き付け、端部ａとｃを持ち上げ、本体１の穴に通し固定する。前記本体１への固定は、図２（ｂ）に示すように、本体１の穴１０２に風呂敷Ｓの端部ａ，ｃを一括で裏面から表に通し締める第一工程と、図２（ｃ）に示す通り、表に出た当該端部ａ，ｃを穴１０２の両側にスリットバーを介して設けられた二つの三日月形の穴に、それぞれ端部ａは穴１０４へ、端部ｃは穴１０３へ前記スリットバーを巻き込む形で折り返して表から裏に向けて通す第二工程から成る。
【００１４】これにより、風呂敷Ｓが箱Ｈを包み本体１に装着されるので、当該風呂敷Ｓが留め具付手提げ包装体の姿態で固定される。本体１は革や樹脂など弾力性のある素材で作られており、第一工程で通した風呂敷端部ａに荷重がかかった時、本体１のプレートの端方向に、前記スリットバーが撓み、第二工程で通した風呂敷端部ａを押し付けることにより抜けることなく固定される。図２（ｄ）は、前記留め具１００を装着した包装体の外観図を示している。
【００１５】図３（ａ）は、前記プレートの外形を鳩の形にした例を示している。前記プレートの外形を動物や花、キャラクター等いろいろな形状にすることにより、留め具兼装飾具としての機能を持たせたものである。図３（ｂ）は、風呂敷Ｓに荷物を包み、図３（ａ）の鳩の形をした留め具１１を装着した外観図を示している。
【００１６】  以上、本考案に係る留め具１００によれば、風呂敷等のシート体を留め具付手提げ包装体状の姿態に保持できると共に、留め具１００の外観がいろいろなデザインを施した装飾（チャーム）としての役割を果たすため、留め具１００の形状、色、シート体の素材、色、柄の組み合わせを自由に変えることができ、包装体全体をデザイン性の高い包装体として、包むもの、包む場面に合わせて表現することができる。また、本体１が薄板形状であるため、軽く、薄く、コンパクトになり、留め具として使用する時には使い易く、シート体を固定していない状態では、鞄等に収納しやすいものとなる。更に、係止部は、複数の穴のみで構成されるので、製造が簡単である。また、この留め具１００はランチバッグとしても、着脱、持ち運びが簡単便利で、且つ、キャラクターなどのデザインを楽しむ留め具として、人々が広く活用でき生活を豊かにする効果も期待できる
【００１７】  図３（ａ）に留め具１００の実施例を示す。厚み４．０ｍｍの牛革製で、縦６５ｍｍ、横６５ｍｍ、前記穴１０２、１０３、１０４の全体寸法２０ｍｍ×３５ｍｍ、スリット巾６ｍｍで、鳩のデザインで製作した。その結果、重さ５ｇと軽く、留め具付手提げ包装体留め具として確実に留まり、鳩の形のチャームが付いたデザイン性の高い留め具付手提げ包装体外観になった。また、長期間テスト使用しても緩むことなく安定して使用できた。従来風呂敷で弁当箱を包む場合、留め具１００を付ける位置を結んでいたが、その時結び目が瘤になり、バッグなどに入れて持ち運ぶのに邪魔になる他、結んだりほどいたりする手間がかかっていたが、留め具の穴に通すだけで簡単に着脱できる他、接続部が平たくなり、持ちやすく、バッグなどへの収納も簡単になった。図３（ｂ）に鳩形の留め具１１を装着した留め具付手提げ包装体の外観図を示している。
【００１８】（実施の形態２）
図４は、本考案の実施の形態２に係る留め具を示す説明図であり、（ａ）は平面図、（ｂ）は正面図、（ｃ）は側面図、（ｄ）はＡ−Ａ断面図である。この留め具２００は、実施の形態１に係る留め具１００と略同一の構成であるが、係止部穴の数と形状が異なるものである。その他の構成要件は実施の形態１と同じであるので、同一構成要素には同一符号を付して、その説明を省略する。本体１の係止部を構成する穴２０２，２０４の組と穴２０３と２０５の組は、略円形状の穴を長手方向に分離した、換言すれば２つの半円形状を略円形になるように近接させた形状である。この二つの半円形状の間にそれぞれスリットバー２０６と２０７を設けている。穴２０４の面積は穴２０２の面積よりもやや小さくすることが好ましい、同じく穴２０５の面積は穴２０３の面積よりもやや小さくすることが好ましい。また、本体１に設けられたスリットバー２０６と２０７の間の距離は包もうとする弁当箱等箱状物Ｈの長さよりも短いことが好ましい。なお、穴２０２と２０４、穴２０３と２０５の組み合わせの形状は円形にこだわらない。略四角形状でも略菱形形状でもその他多角形でも、長手方向に分離しスリットバーがあれば形状にとらわれない。
【００１９】  図５は、この留め具２００の使用方法を示す説明図である。なお、図５（ｂ）では、取り付け方の手順を説明するため、ひも状のものを示す。シート体には風呂敷Ｓを用いる。四角形の風呂敷Ｓの対向する二辺の端部を係止部に固定する。まず、図２（ａ）に示すように、弁当箱のような箱状物Ｈを風呂敷Ｓの中央に置いて、図５（ａ）に示すように、風呂敷Ｓの対向する二辺の端部ｂ，ｄを箱状物Ｈの上に重ねて包み、且つ、他の二辺の端部ａ，ｃを本体１の裏面から前記中央側の穴２０２、２０３にそれぞれ通す。次に、図５（ｂ）に示すように、当該端部ａ，ｃを本体１の端側の穴２０４、２０５に前記スリットバー２０６、２０７を巻き込む形で表から裏へ通し、当該端部ａ，ｃを両側に引くと、取っ手両端のスリットバー２０６，２０７間の距離が箱物状Ｈの長さよりも短く設定されているため、風呂敷Ｓの端部どうしが引き付けられて、箱状物Ｈがしっかり包まれる。
【００２０】  これにより、風呂敷Ｓが本体１に装着され、当該風呂敷Ｓが箱状物Ｈを手提げ包装体の姿態の中で保持する。この風呂敷Ｓを本体１に対して引く又は中に入れた荷物の重量で風呂敷Ｓが引かれると、前記留め具両端のスリットバー２０６，２０７間の距離が箱物状Ｈの長さよりも短いため、力のベクトルは係止部の端の方向を向き、スリットバー２０６，２０７に巻き付いている風呂敷Ｓの端部ｃ，ａに巻き締り力が働くと同時に、係止部の端の方向に引かれることにより、革や樹脂などの弾性体で作られている留め具のスリットバー２０６，２０７は、係止部の端の方向に撓み穴２０４，２０５に通している風呂敷Ｓの最端部ａ、ｃを押える。これにより係止部と風呂敷Ｓとの間で巻き締りによる摩擦力が生じ、係止部の穴２０６，２０７と風呂敷Ｓとが安定した係止状態となり抜けなくなる。
【００２１】  以上、本考案に係る留め具２００によれば、風呂敷等のシート体の姿態を留め具付手提げ包装体状に保持できると共に、本体１が薄板形状であるため、シート体を固定していない状態では薄くコンパクトになり、鞄等に収納しやすいものとなる。更に、係止部は、複数の穴から構成されるので、製造が簡単である。
【００２２】  図６に、留め具２００の実施例を示す。なお、留め具２００詳細図は省略しているが、厚み４．０ｍｍの牛革製で、幅３０ｍｍ、長さ８０ｍｍ、前記穴２０２，２０３の幅８ｍｍ、前記穴２０４，２０５の幅は７ｍｍ、スリットバー２０６の厚み６ｍｍで製作した。係止部は二つの穴をあけた時の強度を考慮し幅を広く設定し製作した。その結果、弁当箱を包み留め具を付けると、風呂敷も確実に係止でき、長期間テスト使用しても緩むことなく安定して使用できた。従来風呂敷で弁当箱を包む場合、留め具２００を付ける位置を結んでいたが、その時結び目が瘤になり、バッグなどに入れて持ち運ぶのに邪魔になる他、結んだりほどいたりする手間がかかっていたが、留め具の穴に通すだけで簡単に着脱できる他、接続部が平たくなり、持ちやすく、バッグなどへの収納も簡単になった。また、この留め具は風呂敷Ｓを安定に装着するための係止部の最適な形状やサイズを決めておけば、外形や模様のデザインは自由に行えることから、図６に示す通り、留め具に猫のキャラクターのデザインを入れた留め具も製作してみたら、ユニーク且つ魅力的な留め具ができた。
【００２３】  上記実施の形態では、風呂敷Ｓをシート体の例として示したが、ビニールシート、ハンカチ、手ぬぐい等も使用できる。ハンカチ等の別用途で使用するものでバッグを形成する場合、上記留め具のみを持ち運べば済む。更に、係止部への係止形態についても、上記図に示したような方法に限定されるものではなく、シート体を袋状に形成して保持し且つその端部が係止できれば、どのような係止方法であっても良い。更に、本体１は、革製であるが、合成皮革や樹脂他弾力性のある素材であれば何でもよく、プレート形状の外装に布を貼着したものであっても良い。
【００２４】  また、収納物に応じてシート体の大きさを変更できる。大きなものを収納する場合には大き目のシート体を包装状の姿態に保持する。弁当箱のような小さなものを保持する場合は、小さ目のシート体を包装状の姿態に保持する。
【符号の説明】
【００２５】１００  留め具
２００  留め具
１  本体
Ｈ  箱
Ｓ  風呂敷
ａ〜ｄ  風呂敷端部
【図１】
0003221686.tif 000003
【図２】
0003221686.tif 000004
【図３】
0003221686.tif 000005
【図４】
0003221686.tif 000006
【図５】
0003221686.tif 000007
【図６】
0003221686.tif 000008